(57)【要約】【課題】レイヤ２で動作する中継装置４０で構成されたネットワークにおいて、ネットワーク構成を示す情報を収集することができる通信システム１０を提供する。【解決手段】本発明の通信システム１０は、複数の情報通信装置６０と、当該複数の情報通信装置６０間の通信を中継する１つ以上の中継装置４０とを備え、いずれかの情報通信装置６０が、他の情報通信装置６０へ、配線状況を要求する個別配線情報要求を送信し、個別配線情報要求を受信した情報通信装置６０が、自装置の識別情報を含む個別配線情報応答を返信し、個別配線情報応答を受信した中継装置４０が、受信した個別配線情報応答に自中継装置の識別情報を付加して転送する。【選択図】図１
2008154171.tif 000002
【特許請求の範囲】
【請求項１】
複数の情報通信装置と、
当該複数の情報通信装置間の通信を中継する１つ以上の中継装置と、
前記情報通信装置と前記中継装置との接続状況を管理する管理装置と
を備える通信システムであって、
前記管理装置は、
ユーザからの指示に応じて、前記複数の情報通信装置のいずれかへ、それぞれの前記情報通信装置の配線状況を示す配線情報を要求するための配線情報要求を送信する配線情報要求手段と、
当該配線情報要求の送信先の情報通信装置から、当該配線情報を含む配線情報応答を受信した場合に、当該配線情報応答に含まれる配線情報から、前記複数の情報通信装置の配線状況をユーザに通知する配線状況通知手段と
を有し、
それぞれの前記情報通信装置は、
前記管理装置から前記配線情報要求を受信した場合に、他の情報通信装置のそれぞれへ、当該情報通信装置の個別の配線情報を要求するための個別配線情報要求を送信する個別配線情報要求手段と、
前記個別配線情報要求の送信先の情報通信装置から受信した当該情報通信装置の識別情報を含む個別配線情報応答から、配線情報応答を生成して前記管理装置へ送信する配線情報応答送信手段と、
他の情報通信装置から前記個別配線情報要求を受信した場合に、自情報通信装置の識別情報を含む個別配線情報応答を返信する個別配線情報応答手段と
を有し、
それぞれの前記中継装置は、
前記個別配線情報応答を受信した場合に、当該個別配線情報応答に自中継装置の識別情報を付加して転送する中継装置情報付加手段
を有することを特徴とする通信システム。
【請求項２】
請求項１に記載の通信システムであって、
前記配線情報応答送信手段は、
前記個別配線情報応答毎に、付加されている中継装置の識別情報の付加順番から、当該個別配線情報応答を送信してきた情報通信装置との間に接続されている中継装置の接続順番を認識し、当該個別配線情報応答を送信してきた情報通信装置の識別情報、当該情報通信装置との間に接続されている中継装置の識別情報、および当該中継装置の接続順番を含む配線情報応答を生成して前記管理装置へ送信することを特徴とする通信システム。
【請求項３】
請求項１または２に記載の通信システムであって、
前記管理装置は、
受信した配線情報応答に含まれる配線情報を格納する配線情報格納手段をさらに有し、
前記配線状況通知手段は、
前記配線情報応答を受信した場合に、前記配線情報格納手段に格納されている、前回の配線情報と今回の配線情報とを比較し、両者に差分がある場合に、前記複数の情報通信システムの今回の配線状況を、当該差分を強調してユーザに通知することを特徴とする通信システム。
【請求項４】
請求項３に記載の通信システムであって、
前記管理装置は、
前記配線状況通知手段によって、前回の配線情報と今回の配線情報とに差分があると判定された場合に、当該差分が情報通信装置の増設または置換であるならば、当該増設または置換された情報通信装置へ警告情報を送信する警告情報送信手段をさらに有し、
前記複数の情報通信装置のそれぞれは、
他の情報通信装置から前記警告情報を受信した場合に、自情報通信装置のユーザに当該警告情報を通知する警告情報通知手段をさらに有することを特徴とする通信システム。
【請求項５】
請求項４に記載の通信システムであって、
前記中継装置情報付加手段は、
前記個別配線情報応答を受信した場合に、当該個別配線情報応答を受信したポートの識別情報を、自中継装置の識別情報と共に当該個別配線情報応答にさらに付加して転送し、
前記警告情報送信手段は、
前記配線状況通知手段によって、前回の配線情報と今回の配線情報とに差分があると判定された場合に、当該差分が情報通信装置の撤去であるならば、当該撤去された情報通信装置が接続されていた中継装置へ、当該情報通信装置が接続されていたポートの識別情報を含む警告情報を送信し、
それぞれの前記中継装置は、
通信ポート毎に設けられ、ポートの識別情報を含む警告情報を受信した場合に、当該識別情報に対応するポートについて警告情報を表示する警告表示手段をさらに有することを特徴とする通信システム。
【請求項６】
請求項１から５のいずれか一項に記載の通信システムであって、
当該通信システムは、ボタン電話システムであり、
前記複数の情報通信装置には、主装置と複数のボタン電話端末とが含まれることを特徴とする通信システム。
【請求項７】
請求項６に記載の通信システムであって、
前記管理装置は、前記主装置へ、前記配線情報要求を送信することを特徴とする通信システム。
【請求項８】
複数の情報通信装置と、
当該複数の情報通信装置間の通信を中継する１つ以上の中継装置と、
管理装置とを備える通信システムの配線情報収集方法であって、
前記管理装置は、
ユーザからの指示に応じて、前記複数の情報通信装置のいずれかへ、それぞれの前記情報通信装置の配線状況を示す配線情報を要求するための配線情報要求を送信する配線情報要求ステップと、
当該配線情報要求の送信先の情報通信装置から、当該配線情報を含む配線情報応答を受信した場合に、当該配線情報応答に含まれる配線情報から、前記複数の情報通信装置の配線状況をユーザに通知する配線状況通知ステップと
を実行し、
それぞれの前記情報通信装置は、
前記管理装置から前記配線情報要求を受信した場合に、他の情報通信装置のそれぞれへ、当該情報通信装置の個別の配線情報を要求するための個別配線情報要求を送信する個別配線情報要求ステップと、
前記個別配線情報要求の送信先の情報通信装置から受信した当該情報通信装置の識別情報を含む個別配線情報応答から、配線情報応答を生成して前記管理装置へ送信する配線情報応答送信ステップと、
他の情報通信装置から前記個別配線情報要求を受信した場合に、自情報通信装置の識別情報を含む個別配線情報応答を返信する個別配線情報応答ステップと
を実行し、
それぞれの前記中継装置は、
前記個別配線情報応答を受信した場合に、当該個別配線情報応答に自中継装置の識別情報を付加して転送する中駅装置情報付加ステップを実行すること
を特徴とする通信システムの配線情報収集方法。
【請求項９】
複数の情報通信装置間の通信を中継する中継装置であって、
前記情報通信装置の識別情報を含む個別配線情報応答を受信した場合に、当該個別配線情報応答に自中継装置の識別情報を付加して転送する中継装置情報付加手段を備えることを特徴とする中継装置。
【発明の詳細な説明】
【技術分野】
【０００１】
本発明は、複数の情報通信装置が中継装置を介して通信を行う通信システムにおける配線情報の収集技術に関する。
【背景技術】
【０００２】
特許文献１には、端末装置が接続された時に、当該端末装置が接続されたポートの番号と自装置の名前とを当該端末装置に通知する接続情報提供機能付きハブ装置が開示されている。当該ハブ装置を用いることにより、当該ハブ装置に接続された端末装置には、接続先のハブ装置の識別情報とポート番号とが格納される。これにより、当該ハブ装置に接続された端末装置のユーザは、当該端末装置によるデータ通信に異常があった場合に、接続先のハブ装置および接続ポートを特定することができ、ケーブルの抜け等の障害の有無を迅速に検証することができる。
【０００３】
【特許文献１】特開２００１−２４６８２号公報
【発明の開示】
【発明が解決しようとする課題】
【０００４】
ところで、ネットワークに発生した障害の原因究明やネットワークの性能維持等の目的のため、ネットワークを構成する複数の中継装置と複数の情報通信装置とがどのように接続されているかを示すネットワーク構成を管理する必要がある。上記の特許文献１に開示されている技術では、端末装置毎に、当該端末装置が接続されているハブ装置とポート番号を知ることができるが、スイッチングハブ等の複数の中継装置がそのように接続されているか等を含むネットワーク構成を示す情報を収集することはできない。
【０００５】
また、Ｐｉｎｇ（Packet INternet Groper）等のレイヤ３で動作するプロトコルを用いて、ネットワークを構成する通信機器に関する情報を１つ１つ収集する方法もあるが、スイッチングハブ等のレイヤ２で動作する中継装置で構成されたネットワークでは、当該Ｐｉｎｇを用いて情報を収集することはできない。
【０００６】
本発明は上記事情を鑑みてなされたものであり、本発明の目的は、レイヤ２で動作する中継装置で構成されたネットワークにおいても、ネットワーク構成を示す情報を収集することができるようにすることにある。
【課題を解決するための手段】
【０００７】
上記課題を解決するために、本発明の通信システムは、複数の情報通信装置と、当該複数の情報通信装置間の通信を中継する１つ以上の中継装置とを備え、いずれかの情報通信装置が、他の情報通信装置へ、配線状況を要求する個別配線情報要求を送信し、個別配線情報要求を受信した情報通信装置が、自装置の識別情報を含む個別配線情報応答を返信し、個別配線情報応答を受信した中継装置が、受信した個別配線情報応答に自中継装置の識別情報を付加して転送する。
【０００８】
例えば、本発明の第１の態様は、複数の情報通信装置と、当該複数の情報通信装置間の通信を中継する１つ以上の中継装置と、情報通信装置と中継装置との接続状況を管理する管理装置とを備える通信システムであって、管理装置は、ユーザからの指示に応じて、複数の情報通信装置のいずれかへ、それぞれの情報通信装置の配線状況を示す配線情報を要求するための配線情報要求を送信する配線情報要求手段と、当該配線情報要求の送信先の情報通信装置から、当該配線情報を含む配線情報応答を受信した場合に、当該配線情報応答に含まれる配線情報から、複数の情報通信装置の配線状況をユーザに通知する配線状況通知手段とを有し、それぞれの情報通信装置は、管理装置から配線情報要求を受信した場合に、他の情報通信装置のそれぞれへ、当該情報通信装置の個別の配線情報を要求するための個別配線情報要求を送信する個別配線情報要求手段と、個別配線情報要求の送信先の情報通信装置から受信した当該情報通信装置の識別情報を含む個別配線情報応答から、配線情報応答を生成して管理装置へ送信する配線情報応答送信手段と、他の情報通信装置から前記個別配線情報要求を受信した場合に、自情報通信装置の識別情報を含む個別配線情報応答を返信する個別配線情報応答手段と
を有し、それぞれの中継装置は、個別配線情報応答を受信した場合に、当該個別配線情報応答に自中継装置の識別情報を付加して転送する中継装置情報付加手段を有することを特徴とする通信システムを提供する。
【０００９】
また、本発明の第２の態様は、複数の情報通信装置と、当該複数の情報通信装置間の通信を中継する１つ以上の中継装置と、管理装置とを備える通信システムの配線情報収集方法であって、管理装置は、ユーザからの指示に応じて、複数の情報通信装置のいずれかへ、それぞれの前記情報通信装置の配線状況を示す配線情報を要求するための配線情報要求を送信する配線情報要求ステップと、当該配線情報要求の送信先の情報通信装置から、当該配線情報を含む配線情報応答を受信した場合に、当該配線情報応答に含まれる配線情報から、複数の情報通信装置の配線状況をユーザに通知する配線状況通知ステップと
を実行し、それぞれの情報通信装置は、管理装置から配線情報要求を受信した場合に、他の情報通信装置のそれぞれへ、当該情報通信装置の個別の配線情報を要求するための個別配線情報要求を送信する個別配線情報要求ステップと、個別配線情報要求の送信先の情報通信装置から受信した当該情報通信装置の識別情報を含む個別配線情報応答から、配線情報応答を生成して前記管理装置へ送信する配線情報応答送信ステップと、他の情報通信装置から前記個別配線情報要求を受信した場合に、自情報通信装置の識別情報を含む個別配線情報応答を返信する個別配線情報応答ステップとを実行し、それぞれの中継装置は、個別配線情報応答を受信した場合に、当該個別配線情報応答に自中継装置の識別情報を付加して転送する中駅装置情報付加ステップを実行することを特徴とする通信システムの配線情報収集方法を提供する。
【００１０】
また、本発明の第３の態様は、複数の情報通信装置間の通信を中継する中継装置であって、情報通信装置の識別情報を含む個別配線情報応答を受信した場合に、当該個別配線情報応答に自中継装置の識別情報を付加して転送する中継装置情報付加手段を備えることを特徴とする中継装置を提供する。
【発明の効果】
【００１１】
本発明によれば、レイヤ２で動作する中継装置で構成されたネットワークにおいても、ネットワーク構成を示す情報を収集することができる。
【発明を実施するための最良の形態】
【００１２】
以下、本発明の実施形態について説明する。
【００１３】
図１は、本発明の一実施形態に係る通信システム１０の構成を示すシステム構成図である。通信システム１０は、主装置２０、管理装置３０、複数の中継装置４０、および複数の内線電話５０を備える。主装置２０および複数の内線電話５０は、本発明における情報通信装置の一例である。
【００１４】
それぞれの中継装置４０は、例えばスイッチングハブである。本実施形態において、中継装置４０−１には、ＧＷ（GateWay）１２、主装置２０、管理装置３０、中継装置４０−２、中継装置４０−４、および内線電話５０−４が接続されている。また、中継装置４０−２には、中継装置４０−３および内線電話５０−２が接続されている。中継装置４０−３には、内線電話５０−１が接続されている。中継装置４０−４には、内線電話５０−３が接続されている。
【００１５】
本実施形態において、主装置２０および複数の内線電話５０は、キーテレホンシステムを構成する。主装置２０は、ＧＷ１２を介して外部ネットワーク１１から内線電話５０への着信およびそれぞれの内線電話５０から外部ネットワーク１１への発信を処理すると共に、複数の内線電話５０同士の音声通信を制御する。
【００１６】
管理装置３０は、通信システム１０の管理者等から、通信システム１０を構成する複数の中継装置４０と複数の情報通信装置とがどのように接続されているかを示すネットワーク構成図を要求された場合に、通信システム１０を構成する中継装置４０および情報通信機器の配線情報を収集し、収集した配線情報からネットワーク構成図を生成して出力する。
【００１７】
図２は、管理装置３０の詳細な機能構成の一例を示すブロック図である。管理装置３０は、配線情報格納部３１、配線状況通知部３２、警告情報送信部３３、配線情報要求部３４、およびネットワークＩＦ（インターフェイス）部３５を備える。
【００１８】
ネットワークＩＦ部３５は、イーサネット（登録商標）等の通信規格に基づいて、中継装置４０を介して主装置２０または内線電話５０と通信する。配線状況通知部３２、警告情報送信部３３、および配線情報要求部３４は、ネットワークＩＦ部３５を介して主装置２０または内線電話５０と通信データを送受信する。
【００１９】
配線情報要求部３４は、キーボードやマウス等の入力装置３９を介して、ユーザからネットワーク構成図の表示指示を受け付けた場合に、それぞれの情報通信装置の配線状況を示す配線情報を要求するための配線情報要求を、ネットワークＩＦ部３５を介して主装置２０へ送信する。なお、他の例として、配線情報要求部３４は、定期的、あるいは、所定のイベントが発生した場合等に、自動的に配線情報要求を主装置２０へ送信してもよい。
【００２０】
配線状況通知部３２は、ネットワークＩＦ部３５を介して、配線情報を含む配線情報応答を主装置２０から受信する。配線情報には、例えば図３に示すように、それぞれの内線電話５０の識別情報である内線電話ＩＤ３１１毎に、主装置２０と当該内線電話５０との間に接続されている中継装置４０に関する中継装置情報３１２が格納されている。図３に示した配線情報３１０は、図１に示したネットワーク構成に対応している。
【００２１】
中継装置情報３１２には、対応する中継装置４０の識別情報とポート番号が含まれる。例えば、図３において、内線電話ＩＤ３１１が「ｄｄｄ」の内線電話５０は、識別情報が「００１」の中継装置４０の「３」番ポートに接続されていることが示されている。
【００２２】
また、図３に例示している配線情報３１０において、１つの内線電話ＩＤ３１１に複数の中継装置情報３１２が対応付けられている場合、それぞれの中継装置情報３１２は、内線電話ＩＤ３１１に近い位置に格納されているものほど、主装置２０の近くに接続されている中継装置４０に関する情報であることを意味する。
【００２３】
例えば、図３において、内線電話ＩＤ３１１が「ａａａ」の内線電話５０は、識別情報が「００３」の中継装置４０の「１」番ポートに接続されており、当該中継装置４０が「００２」の識別情報を有する中継装置４０の「１」番ポートに接続されており、当該中継装置４０が「００１」の識別情報を有する中継装置４０の「１」番ポートに接続されており、当該中継装置４０が主装置２０に接続されていることが示されている。
【００２４】
配線状況通知部３２は、図３で説明した配線情報を含む配線情報応答を受信した場合に、配線情報から、複数の情報通信装置の配線状況を示すネットワーク構成図を生成する。そして、配線状況通知部３２は、今回受信した配線情報と、配線情報格納部３１内に格納されている、前回受信した配線情報とを比較し、両者に差異がある場合には、生成したネットワーク構成図と共に、当該ネットワーク構成図における差分を強調して、ＬＣＤ（Liquid Crystal Display）等の表示装置３８に表示する。なお、配線情報格納部３１には、図３において説明した配線情報３１０が格納される。
【００２５】
図４は、配線状況通知部３２によって表示されるネットワーク構成図の一例を示す。例えば内線電話５０−４が増設、置換、あるいは撤去された場合、配線状況通知部３２は、図４に示すように、今回の配線情報における前回の配線情報との差分である、点線で囲まれた箇所を、例えば他の構成要素とは異なる色で表示したり、太字表示したり、点滅表示したりすることにより、前回のネットワーク構成との差分を強調表示する。
【００２６】
本実施形態において、配線情報要求部３４は、配線情報要求を主装置２０へ送信する。そのため、主装置２０から送信される配線情報応答に含まれる配線情報には、主装置２０を起点としたネットワーク構成図に関する情報が含まれている。他の形態として、配線情報要求部３４は、いずれかの内線電話５０へ配線情報要求を送信してもよい。この場合、配線情報要求の送信先の内線電話５０を起点とした配線情報応答が返信される。
【００２７】
配線状況通知部３２は、生成したネットワーク構成図を表示装置３８に表示した後、当該ネットワーク構成図のもととなった今回の配線情報で配線情報格納部３１内の配線情報を更新する。そして、今回の配線情報と、配線情報格納部３１内の前回の配線情報とに差異がある場合、当該差異が内線電話５０の増設または置換であるならば、配線状況通知部３２は、増設または置換された内線電話５０の識別情報を警告情報送信部３３へ送信する。一方、当該差異が内線電話５０の撤去であるならば、配線状況通知部３２は、撤去された内線電話５０が接続されていた中継装置４０の識別情報とポート番号とを警告情報送信部３３へ送信する。
【００２８】
警告情報送信部３３は、配線状況通知部３２から内線電話５０の識別情報を受信した場合に、当該識別情報で特定される内線電話５０へ、警告情報を送信する。配線状況通知部３２から中継装置４０の識別情報とポート番号を受信した場合、警告情報送信部３３は、当該識別情報で特定される中継装置４０へ、当該ポート番号を含む警告情報を送信する。
【００２９】
図５は、主装置２０または内線電話５０として動作する情報通信装置６０の詳細な機能構成の一例を示すブロック図である。情報通信装置６０は、個別配線情報応答部６１、個別配線情報要求部６２、配線情報応答送信部６３、警告情報通知部６４、ネットワークＩＦ部６５、および電話処理部６６を備える。
【００３０】
ネットワークＩＦ部６５は、イーサネット（登録商標）等の通信規格に基づいて、中継装置４０を介して他の情報通信装置６０等と通信する。個別配線情報応答部６１、個別配線情報要求部６２、配線情報応答送信部６３、警告情報通知部６４、および電話処理部６６は、ネットワークＩＦ部６５を介して他の情報通信装置６０等と通信データを送受信する。
【００３１】
個別配線情報要求部６２は、管理装置３０から配線情報要求を受信した場合に、他の情報通信装置６０へ、当該情報通信装置６０の個別の配線情報を要求するための個別配線情報要求を送信し、個別配線情報要求を送信した旨を配線情報応答送信部６３に通知する。本実施形態において、個別配線情報要求部６２は、個別配線情報要求を、ネットワークＩＦ部６５を介してブロードキャストまたはマルチキャストすることにより、他の情報通信装置６０のそれぞれへ当該個別配線情報要求を送信する。
【００３２】
なお、他の形態として、個別配線情報要求部６２は、個別配線情報要求を、それぞれの情報通信装置６０へユニキャストにより送信してもよい。この場合、それぞれの情報通信装置６０のアドレスは、個別配線情報要求部６２内に予め保持されているか、あるいは、配線情報要求と共に管理装置３０から通知される。
【００３３】
配線情報応答送信部６３は、個別配線情報要求を送信した旨の通知を個別配線情報要求部６２より受けてから所定期間（例えば数秒）、個別配線情報応答を受信し、受信した個別配線情報応答を情報通信装置６０内のメモリに保持する。個別配線情報応答は、例えば図６に示すようなデータ構造を有する。
【００３４】
個別配線情報応答７０は、プリアンブル７１、ＳＦＤ（Start Frame Delimiter）７２、ＭＡＣデッダ７３、ペイロード７４、およびＦＣＳ（Frame Check Sequence）７５を有する。ペイロード７４には、個別配線情報応答を示すメッセージＩＤ７４０、当該個別配線情報応答７０の送信元の情報通信装置６０の情報通信装置情報７４２、および当該個別配線情報応答７０の送信元の内線電話５０と宛先の情報通信装置６０との間に接続されている中継装置４０の中継装置情報７４１が格納される。
【００３５】
中継装置情報７４１には、中継装置４０の識別情報とポート番号が格納されている。情報通信装置情報７４２には、当該個別配線情報応答７０の送信元の情報通信装置６０の識別情報が格納されている。なお、中継装置情報７４１や情報通信装置情報７４２には、型番やメーカー名、性能を示す情報、管理者名等が含まれていてもよい。
【００３６】
また、図６に例示している個別配線情報応答７０において、ペイロード７４内に複数の中継装置情報７４１が格納されている場合、それぞれの中継装置情報７４１は、情報通信装置情報７４２に近い位置に格納されているものほど、当該個別配線情報応答７０の送信元の情報通信装置６０の近くに接続されている中継装置４０に関する情報であることを意味する。
【００３７】
配線情報応答送信部６３は、個別配線情報要求部６２より個別配線情報要求を送信した旨の通知を受けてから所定期間が経過した場合に、他の全ての情報通信装置６０から個別配線情報を受信したと判定し、メモリに保持されている個別配線情報応答に含まれる個別の配線情報から、図３で説明した配線情報を生成する。そして、配線情報応答送信部６３は、生成した配線情報を含む配線情報応答を、ネットワークＩＦ部６５を介して管理装置３０へ送信する。
【００３８】
個別配線情報応答部６１は、他の情報通信装置６０から個別配線情報要求を受信した場合に、自装置の識別情報を含む情報通信装置情報を格納した個別配線情報応答を生成する。そして、個別配線情報応答部６１は、生成した個別配線情報応答を、個別配線情報要求の送信元の情報通信装置６０へ、ネットワークＩＦ部６５を介して送信する。
【００３９】
警告情報通知部６４は、ネットワークＩＦ部６５を介して、自装置宛の警告情報を受信した場合に、当該警告情報を、自装置のユーザに通知する。警告情報通知部６４は、例えば、情報通信装置６０が有する表示装置に、管理外の増設または置換である旨を表示することにより、警告情報をユーザに通知する。
【００４０】
電話処理部６６は、情報通信装置６０が主装置２０として動作する場合には、主装置２０の電話処理機能に関する処理を実行する。情報通信装置６０が内線電話５０として動作する場合には、電話処理部６６は、内線電話５０の電話処理機能に関する処理を実行する。
【００４１】
主装置２０および複数の内線電話５０のそれぞれが情報通信装置６０の機能を有することにより、管理装置３０は、主装置２０および複数の内線電話５０のいずれを起点とするネットワーク構成図も作成することができる。なお、内線電話５０を起点とするネットワーク構成図を生成する必要がない場合には、主装置２０として機能する情報通信装置６０には、個別配線情報応答部６１および警告情報通知部６４が設けられていなくてもよく、内線電話５０として機能する情報通信装置６０には、個別配線情報要求部６２および配線情報応答送信部６３が設けられていなくてもよい。
【００４２】
図７は、中継装置４０の詳細な機能構成の一例を示すブロック図である。中継装置４０は、中継装置情報付加部４１、警告情報処理部４２、転送処理部４３、およびネットワークＩＦ部４４を備える。ネットワークＩＦ部４４は、複数のＬＥＤ（Light Emitting Diode）４５および複数の入出力ポート４６を有する。
【００４３】
それぞれの入出力ポート４６は、ＧＷ１２、主装置２０、管理装置３０、他の中継装置４０、または内線電話５０に接続され、イーサネット（登録商標）等の通信規格に基づいて、これらの装置と通信する。中継装置情報付加部４１、警告情報処理部４２、および転送処理部４３は、いずれかの入出力ポート４６を介して、これらの装置と通信データを送受信する。それぞれの入出力ポート４６には、ＬＥＤ４５が設けられている。
【００４４】
中継装置情報付加部４１は、いずれかの入出力ポート４６を介して、内線電話５０から、図６で説明した個別配線情報応答７０を受信した場合に、メッセージＩＤ７４０と情報通信装置情報７４２の間に、自装置の識別情報および当該個別配線情報応答７０を受信した入出力ポート４６のポート番号を含む中継装置情報７４１を挿入して転送する。
【００４５】
また、いずれかの入出力ポート４６を介して他の中継装置４０から個別配線情報応答７０を受信した場合、中継装置情報付加部４１は、メッセージＩＤ７４０と当該メッセージＩＤ７４０に隣接している中継装置情報７４１との間に、自装置の識別情報および当該個別配線情報応答７０を受信した入出力ポート４６のポート番号を含む中継装置情報７４１を挿入して転送する。
【００４６】
警告情報処理部４２は、ネットワークＩＦ部４４を介して自装置宛の警告情報を受信した場合に、当該警告情報に含まれるポート番号に対応する入出力ポート４６に設けられているＬＥＤ４５を点灯または点滅させることにより、内線電話５０が無断で撤去された旨の警告を通知する。また、他の例として、ＬＥＤ４５の代わりに、中継装置４０にＬＣＤ等の表示部を設け、当該表示部に警告情報を表示するようにしてもよい。転送処理部４３は、中継装置としての公知の通信データの転送処理を実行する。
【００４７】
図８は、管理装置３０の動作の一例を示すフローチャートである。例えば電源投入等の所定のタイミングで、管理装置３０は、本フローチャートに示される動作を開始する。
【００４８】
まず、配線情報要求部３４は、入力装置３９を介して、ユーザからネットワーク構成図の表示指示を受け付けたか否かを判定する（Ｓ１００）。ネットワーク構成図の表示指示を受け付けていない場合（Ｓ１００：Ｎｏ）、配線情報要求部３４は、ネットワーク構成図の表示指示を受け付けるまでステップＳ１００を繰り返す。
【００４９】
ネットワーク構成図の表示指示を受け付けた場合（Ｓ１００：Ｙｅｓ）、配線情報要求部３４は、配線情報要求を主装置２０へ送信する（Ｓ１０１）。そして、配線状況通知部３２は、配線情報応答の受信を待つ（Ｓ１０２）。配線情報応答を受信した場合（Ｓ１０２：Ｙｅｓ）、配線状況通知部３２は、当該配線情報応答に含まれる配線情報から、通信システム１０全体の配線状況を示すネットワーク構成図を生成する（Ｓ１０３）。
【００５０】
次に、配線状況通知部３２は、配線情報格納部３１を参照して、今回受信した配線情報と、前回受信した配線情報とが異なるか否かを判定する（Ｓ１０４）。今回受信した配線情報と、前回受信した配線情報とが同一である場合（Ｓ１０４：Ｎｏ）、配線状況通知部３２は、生成したネットワーク構成図を表示装置３８に表示し（Ｓ１１０）、配線情報要求部３４は、再びステップＳ１００に示した処理を実行する。
【００５１】
今回受信した配線情報と、前回受信した配線情報とが異なる場合（Ｓ１０４：Ｙｅｓ）、配線状況通知部３２は、生成したネットワーク構成図と共に、当該ネットワーク構成図における差分を強調して、表示装置３８に表示する（Ｓ１０５）。
【００５２】
次に、配線状況通知部３２は、ステップＳ１０２で受信した今回の配線情報で配線情報格納部３１内の配線情報を更新する（Ｓ１０６）。そして、配線状況通知部３２は、今回の配線情報と、前回の配線情報との差分が、内線電話５０の増設または置換であるか否かを判定する（Ｓ１０７）。
【００５３】
今回の配線情報と、前回の配線情報との差分が、内線電話５０の増設または置換である場合（Ｓ１０７：Ｙｅｓ）、配線状況通知部３２は、増設または置換された内線電話５０の識別情報を警告情報送信部３３へ送信する。そして、警告情報送信部３３は、配線状況通知部３２から受信した識別情報で特定される内線電話５０へ、警告情報を送信し（Ｓ１０８）、配線情報要求部３４は、再びステップＳ１００に示した処理を実行する。
【００５４】
今回の配線情報と、前回の配線情報との差分が、内線電話５０の撤去である場合（Ｓ１０７：Ｎｏ）、配線状況通知部３２は、撤去された内線電話５０が接続されていた中継装置４０の識別情報とポート番号とを警告情報送信部３３へ送信する。そして、警告情報送信部３３は、配線状況通知部３２から受信した識別情報で特定される中継装置４０へ、ポート番号を含む警告情報を送信し（Ｓ１０９）、配線情報要求部３４は、再びステップＳ１００に示した処理を実行する。
【００５５】
図９は、情報通信装置６０の動作の一例を示すフローチャートである。例えば電源投入等の所定のタイミングで、情報通信装置６０は、本フローチャートに示される動作を開始する。なお、本フローチャートでは、主装置２０および内線電話５０は、情報通信装置６０の機能を全て有しているものとして説明している。また、キーテレホンシステムに関する処理については省略している。
【００５６】
まず、個別配線情報要求部６２は、管理装置３０から配線情報要求を受信したか否かを判定する（Ｓ２００）。配線情報要求を受信した場合（Ｓ２００：Ｙｅｓ）、個別配線情報要求部６２は、個別配線情報要求を他の情報通信装置６０へ送信し（Ｓ２０１）、個別配線情報要求を送信した旨を配線情報応答送信部６３に通知する。
【００５７】
次に、配線情報応答送信部６３は、個別配線情報応答を受信したか否かを判定する（Ｓ２０２）。個別配線情報応答を受信していない場合（Ｓ２０２：Ｎｏ）、配線情報応答送信部６３は、ステップＳ２０４に示す処理を実行する。
【００５８】
個別配線情報応答を受信した場合（Ｓ２０２：Ｙｅｓ）、配線情報応答送信部６３は、受信した個別配線情報応答を情報通信装置６０内のメモリに保持し（Ｓ２０３）、個別配線情報要求を送信した旨の通知を個別配線情報要求部６２より受けてから所定期間（例えば数秒）が経過したか否かを判定する（Ｓ２０４）。所定期間が経過していない場合（Ｓ２０４：Ｎｏ）、配線情報応答送信部６３は、再びステップＳ２０２に示した処理を実行する。
【００５９】
所定期間が経過した場合（Ｓ２０４：Ｙｅｓ）、配線情報応答送信部６３は、他の全ての情報通信装置６０から個別配線情報を受信したと判定し、メモリに保持されている個別配線情報応答に含まれる個別の配線情報から、図３で説明した配線情報を生成する。そして、配線情報応答送信部６３は、生成した配線情報を含む配線情報応答を、ネットワークＩＦ部６５を介して管理装置３０へ送信し（Ｓ２０５）、個別配線情報要求部６２は、再びステップＳ２００に示した処理を実行する。
【００６０】
ステップＳ２００において、配線情報要求を受信していない場合（Ｓ２００：Ｎｏ）、個別配線情報応答部６１は、他の情報通信装置６０から個別配線情報要求を受信したか否かを判定する（Ｓ２０６）。個別配線情報要求を受信した場合（Ｓ２０６：Ｙｅｓ）、個別配線情報応答部６１は、自装置の識別情報を含む情報通信装置情報７４２を格納した個別配線情報応答を生成する。そして、個別配線情報応答部６１は、生成した個別配線情報応答を、個別配線情報要求の送信元の情報通信装置６０へ送信し（Ｓ２０７）、個別配線情報要求部６２は、再びステップＳ２００に示した処理を実行する。
【００６１】
個別配線情報要求を受信していない場合（Ｓ２０６：Ｎｏ）、警告情報通知部６４は、自装置宛の警告情報を受信したか否かを判定する（Ｓ２０８）。警告情報を受信していない場合（Ｓ２０８：Ｎｏ）、個別配線情報要求部６２は、再びステップＳ２００に示した処理を実行する。警告情報を受信した場合（Ｓ２０８：Ｙｅｓ）、警告情報通知部６４は、当該警告情報を、自装置のユーザに通知する（Ｓ２０９）。
【００６２】
図１０は、中継装置４０の動作の一例を示すフローチャートである。例えば電源投入等の所定のタイミングで、中継装置４０は、本フローチャートに示される動作を開始する。
【００６３】
まず、中継装置情報付加部４１は、いずれかの入出力ポート４６を介して、個別配線情報応答を受信したか否かを判定する（Ｓ３００）。個別配線情報応答を受信した場合（Ｓ３００：Ｙｅｓ）、中継装置情報付加部４１は、当該個別配線情報応答に、自装置の識別情報および当該個別配線情報応答７０を受信した入出力ポート４６のポート番号を含む中継装置情報７４１を挿入して転送し（Ｓ３０１）、再びステップＳ３００に示した処理を実行する。
【００６４】
個別配線情報応答を受信していない場合（Ｓ３００：Ｎｏ）、警告情報処理部４２は、自装置宛の警告情報を受信したか否かを判定する（Ｓ３０２）。警告情報を受信した場合（Ｓ３０２：Ｙｅｓ）、警告情報処理部４２は、当該警告情報に含まれるポート番号に対応する入出力ポート４６に設けられているＬＥＤ４５を点灯または点滅させることにより、内線電話５０が無断で撤去された旨の警告を通知し（Ｓ３０３）、中継装置情報付加部４１は、再びステップＳ３００に示した処理を実行する。
【００６５】
警告情報を受信していない場合（Ｓ３０２：Ｎｏ）、転送処理部４３は、他の通信データを受信したか否かを判定する（Ｓ３０４）。他の通信データを受信した場合（Ｓ３０４：Ｙｅｓ）、転送処理部４３は、通常の通信データの転送処理を実行し（Ｓ３０５）、中継装置情報付加部４１は、再びステップＳ３００に示した処理を実行する。他の通信データを受信していない場合（Ｓ３０４：Ｎｏ）、中継装置情報付加部４１は、再びステップＳ３００に示した処理を実行する。
【００６６】
図１１は、通信システム１０の動作の一例を示すシーケンス図である。本シーケンス図は、図１のネットワーク構成に基づいており、主装置２０と内線電話５０−１との通信に注目したものである。
【００６７】
まず、管理装置３０は、ネットワーク構成図の表示指示をユーザから受けることにより、配線情報要求を生成して主装置２０へ送信する（Ｓ４００）。配線情報要求を受信した主装置２０は、個別配線情報要求を生成し、生成した個別配線情報要求を全ての内線電話５０へ、例えばブロードキャストまたはマルチキャストにより送信する（Ｓ４０１）。
【００６８】
個別配線情報要求を受信した内線電話５０−１は、主装置２０を宛先とする自装置の情報通信装置情報７４２を含む個別配線情報応答を生成し、生成した個別配線情報応答を中継装置４０−３へ送信する（Ｓ４０２）。個別配線情報応答を受信した中継装置４０−３は、自装置の識別情報および当該個別配線情報応答を受信したポート番号を含む中継装置情報を、当該個別配線情報応答に付加する（Ｓ４０３）。そして、中継装置４０−３は、自装置の中継装置情報を付加した個別配線情報応答を中継装置４０−２へ転送する（Ｓ４０４）。
【００６９】
個別配線情報応答を受信した中継装置４０−２は、中継装置４０−３と同様に、自装置の中継装置情報を、当該個別配線情報応答に付加し（Ｓ４０５）、自装置の中継装置情報を付加した個別配線情報応答を中継装置４０−１へ転送する（Ｓ４０６）。
【００７０】
個別配線情報応答を受信した中継装置４０−１も、中継装置４０−２と同様に、自装置の中継装置情報を、当該個別配線情報応答に付加し（Ｓ４０７）、自装置の中継装置情報を付加した個別配線情報応答を中継装置４０−１へ転送する（Ｓ４０８）。
【００７１】
主装置２０は、受信した個別配線情報応答をメモリに保持し、全ての内線電話５０から個別配線情報応答を受信した場合に、受信した個別配線情報応答に含まれる個別の配線情報から通信システム１０全体の配線情報を含む配線情報応答を生成し（Ｓ４０９）、生成した配線情報応答を管理装置３０へ送信する（Ｓ４１０）。管理装置３０は、受信した配線情報応答に含まれる配線情報からネットワーク構成図を生成して表示装置に表示する（Ｓ４１１）。
【００７２】
以上、本発明の実施形態について説明した。
【００７３】
上記説明から明らかなように、本実施形態の通信システム１０によれば、レイヤ２で動作する中継装置４０で構成されたネットワークにおいても、ネットワーク構成を示す情報を収集することができる。
【００７４】
上記において、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７５】
【図１】本発明の一実施形態に係る通信システム１０の構成を示すシステム構成図である。
【図２】管理装置３０の詳細な機能構成の一例を示すブロック図である。
【図３】配線情報３１０のデータ構造の一例を示す図である。
【図４】配線状況通知部３２によって生成されるネットワーク構成図の一例を示す図である。
【図５】主装置２０または内線電話５０として動作する情報通信装置６０の詳細な機能構成の一例を示すブロック図である。
【図６】個別配線情報応答７０のデータ構造の一例を示す図である。
【図７】中継装置４０の詳細な機能構成の一例を示すブロック図である。
【図８】管理装置３０の動作の一例を示すフローチャートである。
【図９】情報通信装置６０の動作の一例を示すフローチャートである。
【図１０】中継装置４０の動作の一例を示すフローチャートである。
【図１１】通信システム１０の動作の一例を示すシーケンス図である。
【符号の説明】
【００７６】
１０・・・通信システム、１１・・・外部ネットワーク、１２・・・ＧＷ、２０・・・主装置、３０・・・管理装置、３１・・・配線情報格納部、３１０・・・配線情報、３１１・・・内線電話ＩＤ、３１２・・・中継装置情報、３２・・・配線状況通知部、３３・・・警告情報送信部、３４・・・配線情報要求部、３５・・・ネットワークＩＦ部、３８・・・表示装置、３９・・・入力装置、４０・・・中継装置、４１・・・中継装置情報付加部、４２・・・警告情報処理部、４３・・・転送処理部、４４・・・ネットワークＩＦ部、４５・・・ＬＥＤ、４６・・・入出力ポート、５０・・・内線電話、６０・・・情報通信装置、６１・・・個別配線情報応答部、６２・・・個別配線情報要求部、６３・・・配線情報応答送信部、６４・・・警告情報通知部、６５・・・ネットワークＩＦ部、６６・・・電話処理部、７０・・・個別配線情報応答、７１・・・プリアンブル、７２・・・ＳＦＤ、７３・・・ＭＡＣデッダ、７４・・・ペイロード、７４０・・・メッセージＩＤ、７４１・・・中継装置情報、７４２・・・情報通信装置情報、７５・・・ＦＣＳ
【図１】
2008154171.tif 000003
【図２】
2008154171.tif 000004
【図３】
2008154171.tif 000005
【図４】
2008154171.tif 000006
【図５】
2008154171.tif 000007
【図６】
2008154171.tif 000008
【図７】
2008154171.tif 000009
【図８】
2008154171.tif 000010
【図９】
2008154171.tif 000011
【図１０】
2008154171.tif 000012
【図１１】
2008154171.tif 000013